(57)【要約】【課題】  保冷を必要とする食品を長時間持ち歩く場合に、食品の温度を保つための保冷剤を収容する場所が確保しがたく、また、運搬中にデコレーション箱内で食品の形が崩れてしまったり、デコレーション箱から食品を取り出す際に食品の形を崩してしまうという問題点があった。【解決手段】  本発明の保冷用収納箱１では、食品の直下に保冷剤収容部５を設け、また、底胴３で保冷剤収納部５および手提げ台紙６を固定している。これにより、保冷剤１５の収容スペースを容易に確保でき、また、運搬中の食品の移動を防ぐことができるのである。【選択図】  図１
2005200035.tif 000002
【特許請求の範囲】
【請求項１】
ケーキ等の保冷を必要とする食品を入れる保冷用収納箱であって、底板と、該底板の周辺に設けた底胴と、該底胴に下端が当接する上蓋と、前記底板上に固定されずに設けられほぼ前記底胴の中央部に配置された保冷剤収容部と、該保冷剤収納部の上に載置され且つ前記食品が載置される手提げ台紙とで構成され、前記保冷剤収納部は前記底胴でその移動を規制され、前記手提げ台紙はその周辺の一部が前記底胴と接して移動を規制されていることを特徴とする保冷用収納箱。
【請求項２】
前記底板及び前記上蓋は楕円形状に形成され、前記保冷剤収納部は四角形に形成されて４つの角は長辺側の前記底胴に当接し、前記手提げ台紙は長辺側の前記底胴と当接していることを特徴とする請求項１に記載の保冷用収納箱。
【請求項３】
前記手提げ台紙の長辺側の両端には前記食品を取り出す際に用いる打ち抜き孔を設け、且つ上側に曲折させていることを特徴とする請求項２に記載の保冷用収納箱。
【請求項４】
保冷剤は前記保冷剤収納部に収容され、前記底板と前記保冷剤収納部で形成される空間内の移動に規制されることを特徴とする請求項１から３のいずれかに記載の保冷用収納箱
。
【発明の詳細な説明】
【技術分野】
【０００１】
本発明は、保冷を必要とする食品を収納するための収納箱に関し、特に保冷剤収納部を食品の直下に設けた収納箱に関するものである。
【背景技術】
【０００２】
一般的に、デコレーションケーキ用の収納箱としては、折り畳み式の四角形のデコレーション箱が多く使用されている。主として、その形態は四角形の天面に手提げおよび貼り窓を有するものである。
【０００３】
かかるデコレーション箱では大きさはデコレーションの大きさに合わせて決められ、コーナーの隙間に予め冷凍された保冷剤を入れて持ち運びされている。しかし、保冷剤をデコレーション箱に入れると運搬中に保冷剤がケーキに当たり傷つけてしまう。また保冷剤をデコレーション箱に両面テープ等で固定するのは取り扱いが煩雑になる。
【特許文献１】特開平８−２００９１２号公報
【発明の開示】
【発明が解決しようとする課題】
【０００４】
保冷を必要とする食品を長時間持ち歩く場合に、保冷剤を用いて食品の温度を保つ必要がある。しかしながら、従来のデコレーション箱では、その周辺の隙間に保冷剤を配置して食品の温度を保っており、保冷剤を収容する場所が確保できないという問題点があった
。
【０００５】
また、台紙の上に保冷を必要とするケーキ等の食品を置き、デコレーション箱に収納している。このため、運搬中にデコレーション箱内で台紙が移動してしまいケーキ等の食品の形が崩れてしまったり、また、デコレーション箱から食品を取り出す際にケーキ等の食品の形を崩してしまうという問題点もあった。
【課題を解決するための手段】
【０００６】
本発明は、上述した問題点に鑑みて成されたものであり、請求項１に記載した発明は、底板と、該底板の周辺に設けた底胴と、該底胴に下端が当接する上蓋と、前記底板上に固定されずに設けられほぼ前記底胴の中央部に配置された保冷剤収容部と、該保冷剤収納部の上に載置され且つ前記食品が載置される手提げ台紙とで構成され、前記保冷剤収納部は前記底胴でその移動を規制され、前記手提げ台紙はその周辺の一部が前記底胴と接して移動を規制されていることを特徴とする。保冷剤収納部を手提げ台紙の真下に配置できるので直接的に食品の保冷を行なえ、保冷剤収納部の運搬中の移動も規制できる。
【０００７】
また、請求項２に記載した発明は、前記底板及び前記上蓋は楕円形状に形成され、前記保冷剤収納部は四角形に形成されて４つの角は長辺側の前記底胴に当接し、前記手提げ台紙は長辺側の前記底胴と当接していることを特徴とする。これにより保冷剤収納部を長辺側の底胴で移動を規制でき、デザインも優れている。
【０００８】
更に、請求項３に記載した発明は、前記手提げ台紙の長辺側の両端には前記食品を取り出す際に用いる打ち抜き孔を設け、且つ上側に曲折させていることを特徴とする。手提げ台紙により収納した食品に触れることなく保冷用収納箱からの取り出しが可能となる。
【０００９】
更に、請求項４に記載した発明は、保冷剤は前記保冷剤収納部に収容され、前記底板と前記保冷剤収納部で形成される空間内の移動に規制されることを特徴とする。保冷剤は保冷剤収納部に閉じこめられ、保冷剤収納部の移動が規制されているので、保冷剤が箱内を自由に移動することはなくなる。
【発明の効果】
【００１０】
上述したように、本発明の保冷用収納箱では、保冷剤収容部を底板と手提げ台紙の間に設けているので、保冷剤を食品の直下に置くことができ、食品の保冷を直接的に行なえ、保冷剤の運搬中の移動も規制できる。
【００１１】
本発明の保冷用収納箱では、底板及び前記上蓋は楕円形状に形成され、保冷剤収納部は四角形に形成されて４つの角は長辺側の前記底胴に当接し、前記手提げ台紙は長辺側の前記底胴と当接しているので、保冷剤収納部を長辺側の底胴で移動を規制でき、デザインも優れている。
【００１２】
また、本発明の保冷用収納箱では、底胴により手提げ台紙を固定するので、運搬中に食品が移動して形が崩れることを防ぎ、楕円の長辺側両端から手提げ台紙を掴んで収納した食品に触れることなく保冷用収納箱から手提げ台紙ごとの取り出しが可能となる。
【００１３】
更に、保冷剤は保冷剤収納部に閉じこめられ、保冷剤収納部の移動が底胴及び手提げ台紙により規制されているので、保冷剤収納部を底板に固定しなくても保冷剤が箱内を自由に移動することはなくなり、食品の保冷用収納箱への収納の手間は極めて簡単である。
【発明を実施するための最良の形態】
【００１４】
以下に、本発明の保冷用収納箱における実施の形態について、図１〜図５を参照にして詳細に説明する。
【００１５】
図１（Ａ）は本発明の保冷用収納箱を上方から見た斜視図、図１（Ｂ）は中央横断面図である。図２（Ａ）は本発明の保冷用収納箱の底板及び底胴を上方から見た斜視図、第２図（Ｂ）は本発明の保冷剤収納部を示す平面図、第２図（Ｃ）は本発明の手提げ台紙を示す平面図である。図３（Ａ）（Ｂ）は本発明の保冷剤収納部および手提げ台紙の使用方法を説明する平面図である。図４は同保冷用収納箱の完成状態を説明する斜視図である。図５は本発明の保冷用収納箱の上蓋を説明する断面図である。
【００１６】
まず、図１および図２に示すように、本発明の保冷用収納箱１は、底板２と、底板の周辺に設けた底胴３と、底胴に下端が当接する上蓋４と、保冷剤収容部５と、手提げ台紙６とで構成されている。
【００１７】
底板２は収納される食品を支持する役割があり、平板の板紙あるいは段ボールを好ましくは楕円形に打ち抜いて作る。底板２の４箇所には切り欠き部１１を設けて、テープで包装する場合の滑り止めとして用いる。
【００１８】
底胴３は底板２の上面に接着剤で固定して設けられ、底板２の周辺から１センチ程度内側に設けられ、上蓋４との当接をさせるときのガイドとして用いられ、底胴３より外側の底板２は上蓋４の受け部分として用いられる。
【００１９】
底胴３には図２（Ａ）に示すように、左右の両端に切り込み部１２を設けて、手提げ台紙６の端部が底胴３から離間して配置されて食品を取り出す際の手提げ台紙６の取手１３を掴みやすくしている。
【００２０】
保冷剤収納部５は底板２の上面ほぼ中央部に設けられ、保冷剤収納部５の４つの角は底胴３に当接させて移動を規制する部分として用いられ、保冷剤から発生する結露が直接食品に触れないようにも用いられる。また、底板２に接する４つの側面中央に半円状の通風孔１４を設けて、保冷剤１５からでる冷気を保冷用収納箱１の内部全体に均一に送るために用いられる。図２（Ｂ）に保冷剤収納部５の平面図を示しており、４角形の台紙１６から４辺に折り曲げ部１７を設け、台紙１６と折り曲げ部１７とで形成されるスペースが保冷剤収納部５として機能する。なお、折り曲げ部１７は四隅で底胴３と接しているので、手提げ台紙６が載置されても底胴３で規制されて、その重みで開くおそれはなく且つ中に収納された保冷剤１５とともに手提げ台紙を６及びその上に乗せられる食品の重量を支持できる。
【００２１】
手提げ台紙６は保冷剤収納部５の上面に載置して設けられ、図２（Ｃ）に示すようにほぼ底胴３で囲まれた底板２と同じ形をしており、中央部の両端には上方向への曲げ部分１９が設けられ、左右の両端には打ち抜き孔１８を含めて上側に曲折させた取手１３が設けられている。この手提げ台紙６の中央には保冷を必要とするデコレーションケーキ等の食品が載せられる。
【００２２】
上蓋４は保冷用収納箱１に収納した食品を外部の障害物より保護する役割があり、Ｅ段ボールあるいは板紙を円筒状に加工して作っている。上蓋４は底胴３に下端が当接して設けられ、上下の端部がカール処理をされて設けられているため、上蓋４の補強を行なえると同時にデザインも優れている。
【００２３】
次に、図３を参照して本発明の保冷用収納箱１で保冷剤収納部５および手提げ台紙６の移動が禁止される仕組みについて説明する。
【００２４】
まず、四角形の形をした保冷剤収納部５は、楕円形の形をした底胴３と四隅で折り曲げ部１７とが接して配置される。このために四角形の台紙１６の一辺が楕円形の長辺により規制されるので、運搬中の振動で保冷剤収納部５が回転するのを防止でき、保冷用収納箱１の中で保冷剤収納部５が移動するのを禁止して常に底胴３の中央部に配置することができる。
【００２５】
また、楕円形の形をした手提げ台紙６についても同様に、底胴３に手提げ台紙６の中央部の両端に設けた曲げ部分１９で形成される角部分が設けら、この角部分と底胴３と接しているので、楕円形の長辺側の半径の長さが異なるため、運搬中の振動で手提げ台紙６が回転するのを禁止することができる。
【００２６】
更に、保冷剤収納部５の上には手提げ台紙６が載置されており、その上に食品が載せられているので、保冷剤収納部５は上から食品の重みで手提げ台紙６で押されている。このために保冷剤収納部５は運搬中の移動にも手提げ台紙６で規制されている。
【００２７】
続いて、図３及び図４を参照して、本発明の保冷用収納箱１の使用方法について３つの段階に分けて説明する。
【００２８】
まず、食品の梱包の際には、底板２の底胴３を中に保冷剤１５を入れた保冷剤収納部５を四隅が底胴３に接するように配置する。なお、保冷剤収納部５は底胴３内で移動することが無いため、保冷剤１５を底板２に固定する作業は不要である。その後、保冷を必要とするケーキ等の食品を手提げ台紙６の中央上面に置き、取手１３を持って手提げ台紙６を保冷剤収納部５の上面へ載せる。それから上蓋４を底胴３の外面をガイドに被せる。その後、図４に示すように底板２の切り込みを利用してテープ等で保冷用収納箱１の包装を行なう。
【００２９】
次に、保冷を必要とするケーキ等の食品における運搬の際には、同保冷用収納箱１を紙製やビニール製等の収納袋に水平に格納することで容易に持ち運びができる。なお、手提げ台紙６が底胴３により固定されているため運搬中の振動にも食品の移動を抑えることができ、保冷を必要とするケーキ等の食品をその直下に設けた保冷剤収納部５の中に入れた保冷剤１５で収納箱全体を保冷しながら運搬する事ができる。
【００３０】
更に、保冷を必要とするケーキ等の食品における取り出しの際には、保冷用収納箱１を装飾したテープ等を外し、上蓋４を垂直方向へ持ち上げて取り外す。その後、手提げ台紙６の長辺側の両端にある取手１３を持ち、底胴３から垂直方向に取り出すことで保冷を必要とするケーキ等の食品の形を崩すことなく取り出すことができる。特に、底板２が楕円形のときは取手１３を設けた底胴３の両端は納める食品が円形であれば、スペースに余裕が出来て手を食品に触れることなく入れられる利点がある。また、保冷剤１５は手提げ台紙６より下側の保冷剤収納部５にあるので、食品の取り出し後に底板２及び底胴とともに捨てれば良く、保冷剤１５の取り出しは不要になる。
【００３１】
次に、図４（Ａ）に示す如く、上蓋４はＥ段ボールあるいは板紙を扇状に打ち抜いて筒状に丸めて作成され、上端に蓋をしている。上蓋４はデザイン状も重要な部分であり、板紙の上に板紙、Ｅ段ボール紙あるいは化粧紙を貼った段ボール紙を用いて形成している。上蓋の上端はＥ段ボールあるいは板紙を内側にカールさせて織り込み、下端は外側にカールさせて織り込み、端部処理をきれいに行った形状になっている。これにより上蓋の補強と同時に美しい外観を得ることができる。
【００３２】
また、図４（Ｂ）に示す如く、保冷剤収納部５の４つの角は底胴３に当接し、運搬中の振動により保冷剤収納部５が移動するのを制御している。底胴３の形状は四角形や円形の場合でも、運搬中に保冷剤収納部５が移動しないように工夫すれば所定の目的を達成できるため同様の効果を得ることができる。更に、楕円形にした場合はデザインも良く、保冷剤収納部５や手提げ台紙６の移動の規制が容易に行なえ、手提げ台紙６の取手部分が掴みやすくなるので良い。
【図面の簡単な説明】
【００３３】
【図１】図１（Ａ）は本発明の保冷用収納箱を上方から見た斜視図、図１（Ｂ）は中央横断面図である。
【図２】図２（Ａ）は本発明の保冷用収納箱の底板及び底胴を上方から見た斜視図、第２図（Ｂ）は本発明の保冷剤収納部を示す平面図、第２図（Ｃ）は本発明の手提げ台紙を示す平面図である。
【図３】図３（Ａ）（Ｂ）は本発明の保冷剤収納部および手提げ台紙の使用方法を説明する平面図である。
【図４】図４は同保冷用収納箱の完成状態を説明する斜視図である。
【図５】図５は本発明の保冷用収納箱の上蓋を説明する断面図である。
【符号の説明】
【００３４】
１      保冷用収納箱
２      底板
３      底胴
４      上蓋
５      保冷剤収容部
６      手提げ台紙
１１      切り欠き部
１２      切り込み部
１３      取手
１４      通風孔
１５      保冷剤
１６      台紙
１７      折り曲げ部
１８      打ち抜き孔
１９      曲げ部
【図１】
2005200035.tif 000003
【図２】
2005200035.tif 000004
【図３】
2005200035.tif 000005
【図４】
2005200035.tif 000006
【図５】
2005200035.tif 000007